(57)【特許請求の範囲】
【請求項１】
空気調和機本体にモータ支持部材を固定し、このモータ支持部材に駆動モータのボス部に嵌合された防振ゴムを挟むことによりこの駆動モータを前記モータ支持部材に固定し、前記駆動モータの出力軸に連結された回転軸には送風機ユニットを固定した天吊型空気調和装置において、
前記防振ゴムの表裏面には前記ボス部が貫通する貫通孔の周囲に円周方向に沿って複数個の有底穴を設け、当該防振ゴムの表面には、この有底穴の配置された円周上の等間隔の位置に、前記駆動モータ側の穴に嵌合される位置決め用突起を設けたことを特徴とする天吊型空気調和装置。
【請求項２】
前記モータ支持部材を、前記空気調和機本体に固定された固定板と、この固定板に一端部がヒンジ結合され他端部が前記防振ゴムを挟むように開閉自在に形成された可動板とで構成し、前記モータ支持部材の前記可動板同志を把手部材で連結したことを特徴とする請求項１に記載の天吊型空気調和装置。
【請求項３】
前記出力軸を、前記駆動モータの両側に延出させ、この延出する出力軸の各々に、送風機ユニットを異なる台数で固定し、
前記送風機ユニットの固定台数が多い方の出力軸の端部のみを、前記空気調和機本体の側板に、バーリング加工によって形成した軸受保持部に保持された軸受によって回転自在に支持したことを特徴とする請求項１又は２に記載の天吊型空気調和装置。
【発明の詳細な説明】
【０００１】
【発明の属する技術分野】
本発明は、天吊型空気調和装置の送風機ユニットの構造に関する。
【０００２】
【従来の技術】
一般に、空気調和機本体に一対のモータ支持部材を固定し、各モータ支持部材に駆動モータの一対のボス部に嵌合された防振ゴムをそれぞれ挟むことによりこの駆動モータをモータ支持部材に固定し、駆動モータの出力軸に連結された回転軸に複数台の送風機ユニットを固定した天吊型空気調和装置は知られている。
【０００３】
【発明が解決しようとする課題】
この種のものにおいて、前記した防振ゴムは駆動モータのボス部が貫通する貫通孔を備える環状のゴム体で構成されるのが一般的である。従来ではこの防振ゴムの防振効果を高めるために、例えばゴム硬度を適宜変更する等して対策を講じてきたが、これでは十分な防振効果が得られていない。
【０００４】
また、空気調和機本体に駆動モータを固定するモータ支持部材としては従来から種々のものが提案されているが、いずれもメンテナンス時に駆動モータを簡単に取り外すことができず、簡単着脱構造の出現が望まれている。
【０００５】
更に、駆動モータの出力軸に連結された回転軸に複数台の送風機ユニットを固定する場合には、強度的に回転軸を片持ち支持とすることはできず、回転軸の先端部を軸受けで支持する形式が採用されている。
【０００６】
この場合、従来では空気調和機本体に軸受け支持ブラケットを設け、このブラケットに軸受けを支持するようにしているが、この余分な軸受け支持ブラケットを必要とする分だけコスト高になっている。
【０００７】
そこで、本発明の目的は、簡単な構成によって、前記課題を解消することのできる天吊型空気調和装置を提供することにある。
【０００８】
【課題を解決するための手段】
前記した課題を解消するために、請求項１記載の発明は、空気調和機本体にモータ支持部材を固定し、このモータ支持部材に駆動モータのボス部に嵌合された防振ゴムを挟むことによりこの駆動モータを前記モータ支持部材に固定し、前記駆動モータの出力軸に連結された回転軸には送風機ユニットを固定した天吊型空気調和装置において、前記防振ゴムの表裏面には前記ボス部が貫通する貫通孔の周囲に円周方向に沿って複数個の有底穴を設け、当該防振ゴムの表面には、この有底穴の配置された円周上の等間隔の位置に、前記駆動モータ側の穴に嵌合される位置決め用突起を設けたことを特徴とするものである。
【０００９】
この発明では、防振ゴムに対してボス部が貫通する孔の周囲に円周方向に沿って複数個の有底穴を設けたことにより振動が減衰し、騒音が低くなった。
【００１０】
また、請求項２記載の発明は、前記モータ支持部材を、前記空気調和機本体に固定された固定板と、この固定板に一端部がヒンジ結合され他端部が前記防振ゴムを挟むように開閉自在に形成された可動板とで構成し、前記モータ支持部材の前記可動板同志を把手部材で連結したことを特徴とするものである。
【００１１】
この発明では、駆動モータを取り外す時固定板と可動板との係合を解除した後に、可動板同志を連結する把手部材を掴んで可動板を開くことにより、駆動モータが露出するので、駆動モータを簡単に取り外すことができる。
【００１２】
請求項３記載の発明は、前記出力軸を、前記駆動モータの両側に延出させ、この延出する出力軸の各々に、送風機ユニットを異なる台数で固定し、前記送風機ユニットの固定台数が多い方の出力軸の端部のみを、前記空気調和機本体の側板に、バーリング加工によって形成した軸受保持部に保持された軸受によって回転自在に支持したことを特徴とするものである。
【００１３】
この発明では、空気調和機本体の側板にバーリング加工によって軸受保持部を形成するので、別途軸受け支持ブラケットが不要になる。
【００１４】
【発明の実施の形態】
以下、本発明の一実施形態を図面に基づいて説明する。
【００１５】
図１において、符号１は空気調和機本体を示す。この空気調和機本体１は天井から吊り下げられた吊りボルト３に引っかけられて室内天井板５の下面に設置・固定されている。空気調和機本体１には電装箱１１、送風機１３、熱交換器１５、冷媒配管２９等の各種機器類が殆ど隙間なく収納されている。送風機１３は、図２に示すように四台の送風機ユニット２１〜２４からなりこれらは一台の駆動モータ２５で駆動される回転軸２７上に固定・配置されている。
【００１６】
熱交換器１５は、図１に示すようにフィン・チューブ型の熱交換器であり、空気調和機本体１内に斜めに設置される。この熱交換器１５には冷媒配管２９が接続され、この冷媒配管２９は空気調和機本体１の外に導出され、室外機（図示せず）の圧縮機、減圧装置、室外熱交換器等に接続される。
【００１７】
この熱交換器１５の下方には、図１に示すように発泡ポリスチレン製のドレンパン３１が設置され、このドレンパン３１の下面には板金製パネル３３が設置される。ドレンパン３１のドレン溜まり３１ａには、図２に示すようにフレキシブルチューブ３２を介してドレンポンプユニット３５が接続され、このドレンポンプユニット３５に収容されるドレンポンプは、ドレン溜まり３１ａに収集されたドレンを吸い上げて空気調和機本体１の外に排出する。
【００１８】
送風機１３の下方には、図１に示すように樹脂製の吸込グリル３７が開閉可能に設置され、この吸込グリル３７には空気清浄用フィルタ３９が取り付けられる。そして、送風機１３が駆動されると吸込グリル３７およびフィルタ３９を通じて室内の空気が空気調和機本体１内に吸い込まれ、この空気は熱交換器１５で熱交換された後に、吹出口４１を通じて室内に吹き出される。４３は空気調和機本体１の略中央を横断的に仕切る中仕切板である。
【００１９】
この実施形態では、前述した駆動モータ２５および送風機ユニット２１〜２４等からなる駆動系に特徴を有する。駆動モータ２５は、図３に示すように、一対のモータ支持部材５１を介して空気調和機本体１に固定される。
【００２０】
この一対のモータ支持部材５１は、図４に示すように、空気調和機本体１に固定される固定板５３と可動板５５とで構成される。この可動板５５の一端部５５ａはヒンジ５７を介して固定板５３に結合され、他端部５５ｂは開閉自在に形成され、他端部５５ｂを閉じた時、他端部５５ｂはねじ５６を介して固定板５３のフランジ５３ａに止着される。固定板５３と可動板５５とには、略半円弧状の溝１５３，１５５が夫々形成され、これら溝１５３，１５５の間には、図３に示すように、防振ゴム６１が挟持される。この防振ゴム６１には、図５ａ、図５ｂに示すように、駆動モータ２５の両端のボス部２５ａが貫通する貫通孔６１ａが形成され、この貫通孔６１に、図３に示すように、駆動モータ２５のボス部２５ａを貫通させた状態で、防振ゴム６１がモータ支持部材５１に固定される。
【００２１】
この実施形態では、図５ａに示すように、防振ゴム６１には、ボス部２５ａが貫通する貫通孔６１ａの周囲に円周Ｌの方向に沿って規則的に複数個の有底穴６３が設けられている。この有底穴６３は、図５ｂに示すように、防振ゴム６１の表面Ａおよび裏面Ｂの双方向からあけられ、貫通孔６１ａの方向に貫通させないことにより強度を維持しながら防振効果が高められ、騒音を低減させる。突起６５は駆動モータ２５側の穴に嵌合される位置決め用突起である。
【００２２】
なお、防振ゴム６１の表面Ａおよび裏面Ｂの双方向からあけられる有底穴６３は、円周方向に相互にずらすことは可能である。
【００２３】
この実施形態では、図３、図４に示すようにモータ支持部材５１の一対の可動板５５同志が把手部材６７を介して連結される。この把手部材６７はねじ６９を介して可動板５５に着脱自在に止着される。これによれば、駆動モータ２５を取り外す時、まずねじ５６（図４）を外し、固定板５３と可動板５５との係合を解除した後に、可動板５５同志を連結する把手部材６７を掴んで一対の可動板５５を同時に開くことができる。この可動板５５が開かれれば、駆動モータ２５が露出するので、駆動モータ２５は簡単に取り出される。
【００２４】
また、図２に示すように、駆動モータ２５の出力軸に連結された回転軸２７の内、図中右方向に延出する回転軸２７には１台の送風機ユニット２４が固定される一方で、図中左方向に延出し、カップリング７０（図３）を介して連結された回転軸２７には複数台の送風機ユニット２１〜２３が固定される。
【００２５】
１台の送風機ユニット２４が固定された回転軸２７は、強度的に片持ち支持とすることができるものゝ、複数台の送風機ユニット２１〜２３が直列に固定された回転軸２７は、強度的に片持ち支持とすることはできず、回転軸２７の先端部２７ａは軸受け７１によって回転自在に支持される。
【００２６】
この軸受け７１は、図６に示すように、空気調和機本体１の板金製の側板７３に対して、当該側板７３の外側からバーリング加工によって形成された凹状の軸受保持部７５に、当該外側から挿入され、この軸受け７１は、カバー７７を側板７３にねじ７９を用いて固定することにより保持される。これによれば、側板７３にバーリング加工によって軸受保持部７５を形成するので、従来のように別途軸受け支持ブラケット等は不要になりコストダウンが図られる。
【００２７】
【発明の効果】
請求項１記載の発明では、防振ゴムに対してボス部が貫通する孔の周囲に円周方向に沿って複数個の有底穴を設けたことにより振動を減衰させた。
【００２８】
請求項２記載の発明では、駆動モータを取り外す時固定板と可動板との係合を解除した後に、可動板同志を連結する把手部材を掴んで可動板を開くことにより、駆動モータが露出するので、駆動モータを簡単に取り外すことができる。
【００２９】
請求項３記載の発明では、空気調和機本体の側板にバーリング加工によって軸受保持部を形成するので、余分な軸受け支持ブラケットが不要になる。
【図面の簡単な説明】
【図１】本発明による空気調和装置の一実施形態を示す側面断面図である。
【図２】同じく内部構造を示す平面図である。
【図３】送風機ユニットの駆動系を示す平面図である。
【図４】駆動モータの支持部材を示す正面図である。
【図５】ａは防振ゴムの正面図、ｂは側面断面図である。
【図６】バーリング加工によって形成される軸受保持部を示す断面図である。
【符号の説明】
１  空気調和機本体
１１  電装箱
１３  送風機
１５  熱交換器
２１〜２４  送風機ユニット
２５  駆動モータ
５１  モータ支持部材
５３  固定板
５５  可動板
６１  防振ゴム
６１ａ  貫通孔
６３  有底穴
６７  把手部材
７１  軸受け
７３  側板
７５  軸受保持部
７７  カバー
【図１】
0003643681.tif 000002
【図２】
0003643681.tif 000003
【図３】
0003643681.tif 000004
【図４】
0003643681.tif 000005
【図５】
0003643681.tif 000006
【図６】
0003643681.tif 000007